(57)【要約】      （修正有）【課題】ペレット熱源かまどボイラーエネルギーを無限大に拡大できる、軸流多段オイル・エア噴霧蒸気反動式タービン高速回転力に比例した高出力ミニプラント発電機装置を提供する。【解決手段】自家製造ペレット用の耐震・衝撃装置・火消し蓋付き壺兼用熱源順応耐熱かまど１と、タービン動力・駆動装置と、自家発電機装置と、空調冷暖房機装置とを備え、前記自家製造ペレット用の耐震・衝撃装置・火消し蓋付き壺兼用熱源順応耐熱かまどを熱源とし、前記タービン動力・駆動装置と、前記自家発電機装置と、前記空調冷暖房装置とが連結されたミニプラント発電機装置。【選択図】図１１
0003191262.tif 000002
【実用新案登録請求の範囲】
【請求項１】
少なくとも上部に開口部を有する耐熱性容器と、前記耐熱性容器の上部の開口部を開閉できるように設けられた耐震・衝撃装置・火消蓋付き耐熱壺と、熱源耐熱かまどとが一体化して、自家製造燃料ペレット着火装置と自家製造耐熱簡易反応釜兼バイオマス堆肥製造機を備える、特許文献（特開２０１１−２５１８８８号）の高密度・高熱量ペレットを用いて、自家製造ペレット用の耐震・衝撃装置・火消し蓋付き壺兼用熱源順応耐熱かまどを熱源として用いるストーブ放熱熱源組込機としても用いられることは好ましい自家製造ペレット用の耐震・衝撃装置・火消し蓋付き壺兼用熱源順応耐熱かまど。
【請求項２】
前記耐熱性容器が、耐熱製ステンレスに代表される容器である、請求項１に記載の高密度・熱量ペレットを用いた自家製造ペレット用の耐震・衝撃装置・火消し蓋付き壺兼用熱源順応耐熱かまど。
【請求項３】
さらに、踏み台と、前記踏み台と前記耐震・衝撃装置・火消蓋付きとを連結する火消蓋開閉機構とを備える高密度・高熱量ペレットを用いた自家製造ペレット用の耐震・衝撃装置・火消し蓋付き壺兼用熱源順応耐熱かまどであって、耐震・衝撃装置の作動によるか、踏み台か自動開閉補助取手を操作することで、火消蓋開閉機構を通じて、火消蓋の開閉状態を制御するものである、請求項１〜２のいずれかに記載の高密度・高熱量ペレットを用いた自家製造ペレット用の耐震・衝撃装置・火消し蓋付き壺兼用熱源順応耐熱かまど。
【請求項４】
前記着火装置が、ポリプロピレンを原料としたものを花火の様に飛散・拡散防止・投下が途中留まらずにスムーズに落下できることの安全最小限穴空き金属製ペレット状カプセルに収納させたもので、請求項１〜３のいずれかに記載の高密度・高熱量ペレットを用いた自家製造ペレット用の耐震・衝撃装置・火消し蓋付き壺兼用熱源順応耐熱かまど。
【請求項５】
請求項１〜４のいずれかに記載の高密度・高熱量ペレットを用いた自家製造ペレット用の耐震・衝撃装置・火消し蓋付き壺兼用熱源順応耐熱かまどを熱源として用いる潤滑オイルを内蔵液体のかまど・ボイラーとして、前記ボイラーで発生した高温・高圧オイル蒸気と高圧エア噴霧とでタービンを高速回転力で駆動させられることから、軸受部分の直付けの簡略・単純と軸の短略・小型・潤滑化に加えて、蒸気タービン排気口の背圧調整と動翼外環遠心弾みリング設えることにより高速回転をより可能とした超小型軸流多段反動式蒸気タービンの改造型の、前記超小型軸流多段反動式高温・高圧オイル蒸気と高圧エア噴霧とでタービンが高速回転力運動エネルギーを発生させることから、各種動力・駆動源となり、ここでは、木材粉砕機・大鋸屑製造器を駆動させることが好ましくて、より身近で大掛かりでなくてもグリーンであることの目的を果たせるセパレートタイプを提供できるタービン動力・駆動装置。
【請求項６】
請求項１〜４のいずれかに記載の高密度・熱量ペレットを用いた自家製造ペレット用の耐震・衝撃装置・火消し蓋付き壺兼用熱源順応耐熱かまどを熱源として用いる潤滑オイルを内蔵液体の沸騰圧力蒸気ボイラーとして、前記ボイラーで発生した高温・高圧オイル蒸気と高圧エア噴霧で駆動するタービンとしたことで、軸受部分の直付けの簡略・短略・単純・小型・潤滑化に加えて、タービン排気口の背圧調整と動翼外環遠心弾みリング設えにより高速回転をより可能とした超小型軸流多段反動式蒸気タービンを改造した、前記超小型軸流多段反動式高圧・高温オイル蒸気と高圧エア噴霧とでタービンを高速回転力の動力駆動装置として１０，０００〜５０，０００ＲＰＭに比例した高出力電気エネルギー３００,０００Ｗ以上が可能となり、結果、自動電気動力機自体が、バッテリーを軽量・小型化出来て、外部からの充電・そのための消費時間は皆無にて自立発電出来る電気動力機器組込・単体固定式の自家発電機として多目的、有効的に電力変換装置を通して使用できて、電源として直接使用出来る自家発電機装置。
【請求項７】
請求項１〜４のいずれかに記載の高密度・高熱量ペレットを用いた自家製造ペレット用の耐震・衝撃装置・火消し蓋付き壺兼用熱源順応耐熱かまどを熱源として用いるボイラー（内部液体は再生使用可能な潤滑オイルを用いている。）と、前記ボイラーで発生した高温・高圧蒸気で駆動する前記超小型軸流多段反動式蒸気タービンを改造した、前記超小型軸流多段反動式高温・高圧オイル蒸気と高圧エア噴霧とでタービンを高速回転力で動力・駆動源化出来ることは、発電機を高速回転で、それに比例して高出力電気エネルギーに変換できて、前記タービンの蒸気排出口と接続された熱交換器と、前記熱交換器排出口に繋がる放熱螺旋形配管パイプが内蔵された熱湯保温庫の部分の、前記放熱螺旋形配管パイプが、更なる、前記パイプより太い外径の放熱螺旋形配管パイプで二重に密閉して被せられ、前記内部液体は、オイルを用いて、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震・衝撃装置・火消し蓋付き壺兼用熱源順応耐熱かまどの前記ボイラー加熱とを加えた加熱量によって、保温庫内給湯量の大量使用の冷水入れ替え時（夏場の冷水保管庫（８４）は冷房専用）、暖房試用期間や発電不要時には、前記ボイラー内加熱ヒーターの自動温度調整によって内燃機関のアイドリング状態似の低出力発電にも対応できる、尚更に給湯水不要の場合は、前記ボイラー内加熱ヒーターの自動温度調整によって、中心パイプ内液体保温状態で、持続的熱湯保温・冷暖房機に繋がる冷媒機と、前記自家発電機で発生した電気によって駆動する空調冷暖房機とを備える、空調冷暖房機装置。
【請求項８】
請求項１〜７のいずれかに記載の一体型融合かまど・ボイラーを熱源とするタービン動力と各種エネルギー拡大変換各装置の高密度・高熱量ペレットを用いた自家製造ペレット用の耐震・衝撃装置・火消し蓋付き壺兼用熱源順応耐熱かまどの前記上部の図３の（１４）の開口部に投入した、貴重な前記ペレット投入の前記ボイラーの沸点状態に於ける1回燃焼分の燃料エネルギーを１容量としたものに対して、熱源として同時複合化することで、無限にエネルギー複数容量に変換増大化できることから、ペレット供給不足・忘れ・その他供給停止のことが起こったとしても、自己完結的に、前記熱湯保温庫に代表される複合的エネルギー保持されることも手伝って、前記ボイラー内蔵の自家高出力電気の前記ヒーターによって持続してエネルギーを供給できることで、自家製造ペレットの耐震・衝撃装置・火消し蓋付き壺兼用熱源順応耐熱かまどエネルギー停止状態前の前記電気動力組込装置・冷暖房空調機・熱湯保温庫・給湯機・自家発電機装置を同時に複合化使用できることで、特に高速回転力の前記タービンによって、引き続きそのエネルギーを保持・持続・自立・増大・拡大化がミニプラントを連結することで最大効率・効果を集積・発動出来る各種変換増大・拡大・汎用化の発電基本ミニプラント装置。
【考案の詳細な説明】
【技術分野】
【０００１】
本考案は、２大別して、生ごみを資源材料とするバイオマス堆肥・木質材を資源材料とする再生可能エネルギーを燃料源として、前記高密度・高熱量ペレット燃料を用いた専用ボイラーの熱源として、かまどに投入・燃焼する１回分ペレットの熱量を１として、これに対するに、無限大エネルギーの拡大と無尽蔵に広がる資源エネルギーの活用を行える、何れも超小型軸流多段反動式オイル蒸気・エア噴霧タービン（以下「タービン」という。）動力・駆動源を用いてこれ等を何れも有効なエネルギーとする。
【０００２】
グリーンエネルギーであるバイオマスペレット（以下「ペレット」という。）は、生ごみの産業廃棄物化せずに、ごみの減量化、エコロジー等を目的として、また、木材の生産の低迷が森や川を劣化させて、海産物の生産にも影響を与えている現状を木材の木質ペレット化することで、少しでも好転させることができれば、これもまたエコロジーに繋がるのである、そこで、従来の前記ペレット類を燃料とするストーブやボイラーは、色々あるが、どの燃料源も、薪・ペレットも自在に満足できる使用内容の物はなくて、更に有事の場合にも複合的活用できるシステムになっていない、そればかりか、専用ストーブはグリーンというタイトルのみに頼ったように高額過ぎてなじめず、大型容量タイプで、しかも費用対抗的にも難色を感じることを禁じ得ない、前記ペレット燃料を用いた前記専用ボイラーを用いたタービンにて発電機を駆動し、又は、直接動力源とすることで、量的利用・量的活用の幅も広がることとなり、林業産業の活性化ばかりか、水産資源の保護化に繋がり、全産業構造もエネルギー資源を外から買わなくて済み、大幅に対外競争力増幅のスナップが強くなり、従前の一極集中大型化して広範囲に分散・分配している現状と高密度ポイント複合化及び広範囲活性化出来ることとは、相矛盾していて、負のエネルギーの損失が過大にて、まったく損失を埋めることは、現状のままであれば不可能であるので、可能にするには、家庭・事業所の生ごみを産業廃棄物化しない装置とタービン駆動力を以て木材チップや大鋸屑を身近にして、特に、林業伐採・搬出に携わる労働力問題・林業生産者の保護・東北地区の除染化が緊急課題であるが、処理可能な量にて燃料化出来る範囲が重要でして、費用対効果ある正を保持・増大化出来る家庭・事業所単位のセパレート化が希求されている、
本考案に関連して、特許文献公開内容には、自家製の高密度：高熱量グリーンな家庭ゴミであるバイオマスペレット燃料（以下「ペレット」という。）の製造方法が登録されている。
【先行技術文献】
【特許文献】
【０００３】
特開２０１１−２５１８８８号公報
【考案の概要】
【考案が解決しようとする課題】
【０００４】
本考案は、上述した実情に鑑みてなされたものであり、より環境にやさしく、どこにでも移設・順応・連結・汎用化出来るマルチな熱源である火消し壺とかまどとが、一体化装置として、これを基軸に、特に動力源であるタービンによる駆動動力として、更に駆動させる電気動力化の複合化各種装置を各種類の一体融合ミニプラント装置として提供するために、前記（０００３）の特許内容のバイオマス堆肥製造機を耐熱材にて設えた小型反応釜としても簡単に使えるようにすることで、より身近で、グリーンで、より簡便で、安全なペレットとして利用範囲が更に拡大化され、かまどに投入されたペレットを１エネルギーとして、何増倍から無限大化までのエネルギー増大化して活用出来ることも含めて、資源のない我が国にとっては希求する内容である。
【課題を解決するための手段】
【０００５】
本考案は、上記課題を解決すべく鋭意検討した結果、費用対効果があって、環境にやさしい高熱量・高密度ペレットを熱源化でき、基本的構造部分についてどこにでもあり、販売・使用許可される既存道具や部品類を出来るだけ用いて簡単・単純なシステムで以て、旧来の化石・電気エネルギーの動力を廃して、自家製バイオマス燃料使用のかまどからストーブ放熱熱源組込器として直接利用もでき、そして、一体的にかまど・ボイラーで以て、タービン動力装置を、更に、複合的に、一体的かまど・ボイラー・タービン動力で以て発電機を駆動させるミニプラント装置（以下「ミニプラント」という。）に、更に、前記ミニプラントの連結した汎用化装置を考案した。
【０００６】
ここで、「バイオマス」とは、再生可能な、生物由来の有機性資源で化石資源を除いたもの、つまり、太陽エネルギーと水や土といった自然を使って生物が作り出した様々な資源を意味し、本書においては、特に、各事業所・各家庭で発生する生ゴミ、落ち葉、大鋸屑、雑草、新聞紙、雑誌等と我が国土の森林からとれる木材大鋸屑・下草刈り草木等とを指す。
【０００７】
かくして本考案によれば、前記段落（０００３）の手動式オイルジャッキアップに加える電気式オイルシリンダー（１０Ｔ用）も好ましくて、広く個人・中小企業の生産を活性化出来るための量的カバーできる木材大鋸屑を混ぜる・大鋸屑単体のバイオマス堆肥のペレットは、前記段落（０００３）のペレットに比べて、費用価格は、多少アップすることになり、除染した際の除染水の量も毎回各別平均的に２００Ｌのドラム缶１本分の処理の問題が残るのであるが、簡便なフィルター装置を用いることは好ましく、残るは、放射能成分のフィルターを含めて処分方法を確立させなければならないことを明記して、小型タービン駆動力を以てすれば、小型木材粉砕機・小型大鋸屑製造機をジョイント設定できれば、自前で必要なだけ個人・事業所単位のセパレートに供給可能であって、エネルギー消費が量的にも直接的であるが、高熱量・高密度で大いに需要を喚起できて、下記（１）の前記段落（０００３）のバイオマス堆肥製造機を耐熱材にて改造した簡易反応釜を兼ねた装置・下記（２）〜（５）の前記高密度・高熱量ペレットを用いた自家製造ペレット用の耐震・衝撃装置・火消し蓋付き壺兼用熱源順応耐熱かまど・専用ボイラー・下記（６）のストーブ放熱熱源組込み機装置も好ましく・下記（７）の前記出し入れ自在の自家製造高密度・高熱量ペレット用の耐震・衝撃装置・火消し蓋付き壺兼用熱源順応耐熱かまど・専用ボイラーを用いた高速回転力タービン小型動力装置・下記（８）の自動電気動力発電駆動ミニプラント組込動力装置の自家製造高密度・高熱量ペレット用の耐震・衝撃装置・火消し蓋付き壺兼用熱源順応耐熱かまど・専用ボイラーを用いた高速回転力タービン小型動力・発電機ミニプラント装置、下記（９）の前記自家製造高密度・高熱量ペレットを用いる冷暖房空調機装置・下記（１０）の前記ペレットを用いた熱量を活用する床冷暖房・給湯機装置・下記(１１)の前記ペレットを用いる変換複合機械装置のエネルギー持続可能な各種変換増大・拡大化出来る発電機装置、下記（１２）前項（７）の自動電気動力発電ミニプラント組込装置の連結された汎用装置が提供される。
（１）バイオマスを発酵させて水分含有量が１０〜２０重量％の、無定形のバイオマス堆肥を製造するバイオマス堆肥製造機と、該バイオマス堆肥製造機とデイスポーザーに通した後の水切りで大鋸屑を通さない目の網を設えることにより除染されて製造された無定形のバイオマス堆肥から堆肥ペレットを製造するペレット製造機（大型プラントでは、量的処理の費用が掛かり過ぎて、費用対効果が下がり過ぎて負を発生させて、正を発生させることが困難であるが、国民すべての積極的参加があれば、各家庭セパレート単位での分散稼働エネルギーは、これ等負の生産を抑えて正の生産を可能とできることは、セパレート単位であるが故である。）とで構成されてなる前記バイオマス堆肥自家製造装置であって、生ゴミと腐葉土と大鋸屑を加えることも好ましく、また、大鋸屑単独で、これ等を混合・単体としてなる粉砕小片であって、水分含有量５０〜８０重量％のものを発酵させた後、乾燥させることで、水分含有量が１０〜２０重量％のバイオマス堆肥を製造するものである、これを耐熱材装置にてすべてを作ることと耐熱断熱材でカバーすることで、重金属・ダイオキシンに汚染された紙粘土状のバイオマスは、消石灰を混ぜて３００〜５００℃まで反応させることで、安全面も含めて高温に耐えられる簡易反応釜として、重金属や毒性の高いダイオキシンを除去できるバイオマス堆肥製造器・反応釜装置。
（２）少なくとも上部に開口部を有する耐熱性容器と、前記耐熱性容器の上部の開口部を開閉できるように設けられた耐震装置・火消蓋付きと、着火装置とを備える、前記高密度・高熱量ペレットを用いた自家製造ペレット用の耐震・衝撃装置・火消し蓋付き壺兼用熱源順応耐熱かまど。
（３）前記耐熱性容器が、耐熱材（現在は、ステンレス鋼がより優れていると思考される。）の容器である、前記（２）に記載の前記高密度・高熱量ペレットを用いた自家製造ペレット用の耐震・衝撃装置・火消し蓋付き壺兼用熱源順応耐熱かまど。
（４）さらに、前記踏み台と前記高密度・高熱量ペレットを用いた自家製造ペレット用の耐震・衝撃装置・火消し蓋付き壺と熱源順応耐熱かまどとを連結する火消し蓋開閉機構とを備える前記高密度・熱量ペレットを用いた自家製造ペレット用の耐震・衝撃装置・火消し蓋付き壺兼用熱源順応耐熱かまどであって、耐震装置によるか、踏み台・取っ手を操作することで、火消蓋上下開閉機構を通じて、火消蓋を上げることで、火消し開閉状態を制御するものである、前記（２）のいずれかに記載の前記高密度・高熱量ペレットを用いた自家製造ペレット用の耐震・衝撃装置・火消し蓋付き壺兼用熱源順応耐熱かまど。
（５）前記着火装置が、ポリプロピレンを原料としたものを火花が拡散・飛び火しない安全な穴空き金属製ペレット状カプセルに収納させて絶対にペレットと一緒に保管してはならず、単独着火・保管して、投下する途中で詰まったりしない内容のものである、前記（２）〜（３）のいずれかに記載の前記高密度・高熱量ペレットを用いた自家製造ペレット用の耐震・衝撃装置・火消し蓋付き壺兼用熱源順応耐熱かまど。
（６）前記（２）〜（５）のいずれかに記載の前記高密度・高熱量ペレットを用いた自家製造ペレット用の耐震・衝撃装置・火消し蓋付き壺兼用熱源順応耐熱かまどを熱源としても用いることができるストーブ放熱熱源組込み機装置。
（７）前記（２）〜（５）のいずれかに記載の前記高密度・高熱量ペレットを用いた自家製造ペレット用の耐震・衝撃装置・火消し蓋付き壺兼用熱源順応耐熱かまどを熱源として、ペレット投入装置付きで、高圧エア噴霧多極ノズル付ボイラーとタービン排出口に直結する保温庫とエアコンプレッサーとこれを駆動させるオルタネータを装備する図７・図８・図９・図１０は、トルクの高い小型で移動可能で使い易いタービン小型動力装置で、前記かまどの熱源として用いるペレットを用いた前記かまどボイラーを熱源とした、プラス面とマイナス面を列挙し、補完対応するに、
（Ａ）タービンの蒸気発生する液体を潤滑オイルとして用いて駆動するに、プラス面は、タービンの特殊軸受部分の簡略・単純・短略・小型・潤滑化のことが、可能になり、超小型・高速化を可能とした、
（Ｂ）マイナス面は、タービン潤滑オイルの粘性があり、水分比率が半分以下で、高温沸騰状態のイル潤滑能力低下する、これを避けるに、シリコンを数パーセント添加したオイルにて、更に、沸騰直前にボイラー内エアコンプレッサー多極噴霧ノズルにて霧状態にして、オイルの熱せられた高温・高圧力・膨張・蒸気エネルギーと噴霧状態の高温霧状エア高圧力とを合わせて高速回転出来る、更に、エアコンプレッサーを安定的補完するために、エアコンプレッサーとは、別に、エアコンプレッサー出力掃出し口の前に、補助エアタンクを設けて、循環オイルとエアの圧力・送出し量を（６６）分岐・分配装置の調整で、十分補完しあう様にする、
（Ｃ）タービン回転数を上げるのに、タービン排出口に背圧調整口装置を設ける、
（Ｄ）タービン動翼ブレード外郭リングを弾み車とすることで、飛躍的に回転数を上げることが可能である、以上の４点を設え調整することで、十分に基本の回転数３０,０００ｒｐｍ以上が確保されて、５０，０００ｒｐｍを超える場合は、背圧調整とボイラー燃料減量投入・火消しすることで抑制でき、超小型軸流多段オイル蒸気タービン方式（軸流式の定義は、回転軸に平行な向きに蒸気が流れる間にタービン翼によってエネルギーが得られる方式である、回転翼の長手方向に遠心力が加わるため、工学的な制約が比較的すくない、反動式の定義は、動翼内でも蒸気の圧力・オイルエネルギーを運動エネルギーに変換し、動翼から噴出する蒸気・噴霧状オイルの反動力も利用して回転力（トルク）が発生する（エアコンプレッサーのトルクは、実例として、車のタイヤ交換用のものがあり、締まったネジを簡単に緩めて外したり、締めることが出来て、圧力調整をしないと太い金属製ネジを締め切る程のトルクであるから、オイルエネルギーを併せると強力である。）、一段当たりの熱落差が小さく段落数は多くなるが、翼は小型となる。）で発生したトルクの高い高速回転運動エネルギーに変換増大化して、タービン動力を以て木材粉砕・木材大鋸屑製造機を駆動させることで身近で容易にペレットを安定供給できるタービン駆動装置。
（８）後記（９）〜（１２）いずれかに記載の各装置を組み込むに、その内の共通する保温庫に、給湯水装置を除外した物と、そうでない物とに分けると、
一つは、保温庫の給湯水装置部分のみを除外した物を用いた内蔵のタービン動力装置は、自動電気動力を自動機器設置内部で直接・効率・円滑的に発電機を駆動させることが可能であることから、バッテリー電気をスタート時のみ用いるか、内燃機関のアイドリング状態似のボイラー熱源電気ヒーターの自動調整によるタービンの低速回転にて、前記保温庫内温度を確保出来て、短時間で高出力電気エネルギー化出来て、電気高出力・低出力調整も出来ることの何れかであり、自家製造電気エネルギーを前記自動電気動力の内部で直接使用することで、外部電気取入不要にて、バッテリーを軽量・小型化でき、調整・持続・自立した高出力電気エネルギーが、電気動力装置が組み込まれた後記（８）〜（１１）いずれかに記載の各装置を用いた自家発電機装置でもって前記自動機器外部の各家庭・事業所使用電気エネルギーをも供給出来る図１０・図１１・図１２・図１３・図１４・図１５・図１６・図１７・図１８に示す通りの自動電気動力タービン駆動発電機組込ミニプラント装置、
二つは、保温庫給湯水装置を付帯した後記（８）〜（１１）の装置は、後記（８）の装置を組み込んだ内容の前記自動電気動力装置として、ボイラー内加熱電気ヒーター最大にして前記高密度・熱量ペレットを用いた自家製造ペレット用の耐震・衝撃装置・火消し蓋付き壺兼用熱源順応耐熱かまどの前記自家製ペレットを自動投下燃焼を最大化して、尚且つ、保温庫内自家製電気ヒーターを最大化して冷水注入温度低下を短時間で補完して、自動電気動力装置に組込まれた後記（７）〜（１０）いずれかに記載の各装置を用いた自家発電機装置でもって、自らの自動内蔵自家製電気動力エネルギーに限らず、各家庭・事業所使用電気エネルギーをも供給出来る図１０・図１１・図１２・図１３・図１４・図１５・図１６・図１７・図１８に示す通りの自動電気動力タービン駆動発電機組込ミニプラント装置。
（９）前記（２）〜（５）のいずれかに記載の前記高密度・高熱量ペレットを用いた自家製造ペレット用の耐震・衝撃装置・火消し蓋付き壺兼用熱源順応耐熱かまどを熱源として用いる前記ボイラーと、前記ボイラーで発生した高温・高圧蒸気・高圧エア噴霧で高速回転する液体を潤滑オイルとした基本は、軸流多段反動式蒸気タービン（軸流式の定義は、回転軸に平行な向きに蒸気が流れる間にタービン翼によってエネルギーが得られる方式である、回転翼の長手方向に遠心力が加わるため、工学的な制約が比較的少ない、反動式の定義は、動翼内でも蒸気の圧力エネルギーを運動エネルギーに変換し、動翼から噴出する蒸気の反動力も利用して回転力が発生する、一段落当たりの熱落差が小さく段落数は多くなるが、翼は小型となる、）として用いて、直付けの軸受部分（潤滑オイル直接ベアリング噴霧循環）の図１０の符号（４８）の簡略・短略・単純・小型・潤滑化の新規・改の造既存機械製作か作り直しリビルトも可としての高速回転が可能となった、超小型軸流多段反動式オイル蒸気・エア噴霧タービン（以下「タービン」という。）と、前記タービンで発生した高速運動エネルギーに比例した高出力電気エネルギーに変換増大化する自家発電機装置と、前記タービンの蒸気排気口符号（５０）の部分は、形・構造を変えても背圧調整にて、タービンの高速回転を更に上げるようにすることは、エネルギー増大・拡大化に好ましい、更に、動翼の外環部分に遠心弾みリングを設置して高速回転数を大幅に上げるようにすることもエネルギー増大・拡大化に好ましく、前記ミニプラントを連結することで汎用化を可能として、前記蒸気タービン排出口と接続された熱交換器符号（５）と、前記熱交換器排出口に繋がる冷媒機符号（２０）と、前記自家発電機符号（４）で発生した電気によって駆動する冷暖房空調機とを備える冷暖房空調機装置。
（１０）前記（２）〜（５）のいずれかに記載の前記高密度・高熱量ペレットを用いた自家製造ペレット用の耐震・衝撃装置・火消し蓋付き壺兼用熱源順応耐熱かまどを熱源として用いる前記ボイラーで発生した高温・高圧蒸気と高圧エア噴霧とで駆動する液体を潤滑オイルとしたタービンと前記タービンの蒸気排気口と接続された熱交換器と、前記熱交換機の排出口に接続された放熱螺旋形配管パイプが内蔵された前記潤滑オイルである液体と給湯保温庫の部分の、前記放熱螺旋形配管パイプが、更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造高密度・高熱量ペレット用の耐震・衝撃装置・火消し蓋付き壺兼用熱源順応耐熱かまどの熱源として用いる前記ボイラー過熱とを加えた加熱量によって、保温庫内給湯量の大量使用の冷水入れ替え時にも対応出来る、これによって、中心パイプ内液体高温保温状態で、持続的熱湯保温・給湯・床冷暖房機による温水給配と保温庫内配管・給排水口取付口設備にて、床冷暖房機とを備える、床冷暖房・給湯機装置。
（１１）前記（２）〜（５）のいずれかに記載の前記高密度・高熱量ペレットを用いた自家製造ペレット用の耐震・衝撃装置・火消し蓋付き壺兼用熱源順応耐熱かまどを熱源として用いる前記自家発電機によって発生した高出力電気の電力変換機装置を経て各種電圧電源を供給したり、選択充電を使用したり出来て、電気動力組込の必要条件にて、前記タービンで発生した高速回転力運動エネルギー３０，０００ｒｐｍ以上（１０，０００〜５０，０００ＲＰＭ回転）に比例した高出力電気３００，０００Ｗ以上のエネルギーに変換する発電機の規定電圧設定は、１,０００Ｖ、１０Ａ（無負荷の時の端子電圧定数は、１０００Ｖ／３０，０００ｒｐｍ×３０，０００ｒｐｍ÷３２極×１００Ω）の３２極（１６極同一円筒上２列方式）、巻線と３２極（１６極同一円筒上２列方式）コア（７５・７６）ネオジム磁石の発電機（図１５）（調整を用途別に単相・三相を符号（１０）の電力変換機を通して、外形の大きさや巻線量と重さをも考慮して決定することが好ましく、高電気抵抗値に勝るタービン高トルクであり、前記段落（０００７）の（７）項（Ｄ）のエアコンプレッサーの実例トルクだけでも相当なものであるから、オイルエネルギーを併せたトルクは言うまでもないのである。）高出力電気エネルギー３００，０００Ｗ以上に変換増大・連結・拡大化する自家発電機装置。
【０００８】
（１２）前記（２）〜（５）のいずれかに記載の前記高密度・高熱量ペレット燃料を用いた自家製造ペレット用の耐震・衝撃装置・火消し蓋付き壺兼用熱源順応耐熱かまどを熱源として各種増大化装置による同時複合化することで、貴重な前記高密度・高熱量ペレットを、符号（１４）の目皿に投入燃焼１回分の高密度・高熱量ペレットを符号（２）のボイラー沸点に於ける状態を１とする容量に対して、エネルギー複数容量に変換増大化されたことで、上記の自家製造高密度・高熱量ペレット用の耐震・衝撃装置・火消し蓋付き壺兼用熱源順応耐熱かまどの前記上部の開口部に投入した前記燃焼１回分のペレット供給が停止・不足・忘れ等がなされたりの状態でも、前記ボイラー内臓の温度感知センサー符号（２）の作動にて、前記各種エネルギー増大化装置の余剰エネルギーを特に代表した高出力電気を使った符号（２）の内蔵電気ヒーターが、持続的エネルギー供給を行える、また、前記ペレットを投入して燃焼が開始すれば、前記エネルギー燃焼同様に持続的エネルギー供給して、符号（２）内蔵のセンサーによってヒーターは自動的に解除になったり、自動温度調整に於いて、内燃機関のアイドリング状態似の低速回転の低出力電気となることにより、保温庫内熱湯温度をキープしたままいつでも短時間で最大高速回転化出来て、高出力電気エネルギー供給出来、アイドリング状態に出来ない場合でも、特に、自動電気動力・固定いずれの場合も、バッテリーで駆動させて短時間に、前記高密度・高熱量ペレットを用いた自家製造ペレット用の耐震・衝撃装置・火消し蓋付き壺兼用熱源順応耐熱かまどを自動着火させて、少量のペレットがあれば、タービンを高速回転力に比例して、高出力電気エネルギーを生み出せるので、各家庭・事業所単位毎にバラツキのあるペレットのエネルギー供給を一律平均的に安定化させることが可能でもあり、セパレート家庭・事業所単位毎に家庭・事業所生ゴミを産業廃棄物化せずに、分散セパレート化したことで、前記段落（０００３）の特許文献にあるものを併せて、家庭・事業所単位毎のミニプラントエネルギー生産が複合化を可能にしての費用対効果を生み出して、特に、自動電気動力装置に於いては、その都度充電器の電気動力を停止しての長時間充電しなくて済み、重量・大型充電器の軽量・小型化が可能となり、グリーンでゆっくりでも豊かな生活を可能にしてくれて、環境・防衛・経済・財政・外交的にもより安定した安心な暮らしを提供される前記高密度・高熱量ペレットを用いた自家製造ペレット用の耐震・衝撃装置・火消し蓋付き壺兼用熱源順応耐熱かまどエネルギーの前記（６）〜（１０）のエネルギー持続・連結・拡大供給可能な各種変換増大化・汎用化ミニプラント装置。
【考案の効果】
【０００９】
上記のようにセパレート家庭・事業所単位であって、対既存化石・電気エネルギーに与しない、国内自給自足出来る前記段落（０００３）の高密度・高熱量自家製造ペレットを用いた高温・高圧蒸気と高圧エア噴霧とでボイラーエネルギーをタービン駆動の高速回転力駆動力に比例する高出力自家発電気装置による変換電気のエネルギーとで単純・簡単構造にしてリーズナブルな低廉価格で、しかも本格的な燃料源としての前記高密度・高熱量ペレットを用いた自家製造ペレット用の耐震・衝撃装置・火消し蓋付き壺兼用熱源順応耐熱かまどのエネルギーを持続・増大・連結・拡大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来る発展的マルチタイプの前記高密度・高熱量ペレットを用いた自家製造ペレット用の耐震・衝撃装置・火消し蓋付き壺兼用熱源順応耐熱かまどのことを前記段落（０００５）の発明に付記する。
【図面の簡単な説明】
【００１０】
【図１】本考案のかまどの平面図である。
【図２】本考案のかまどの正面図である。
【図３】本考案の火消し壺蓋が自動的に上がって閉まった状態のかまどのＡ−Ａ’側断面図である。
【図４】本考案の火消し壺蓋が落ちて、開いた状態のかまどのＡ−Ａ’側断面図である。
【図５】本考案の熱源かまど挿入ストーブの正面図である。
【図６】本考案の熱源かまど挿入ストーブの側面図である。
【図７】本考案の多極ノズル内臓ボイラー・かまど一体融合装置の正面図である。
【図８】本考案の多極ノズル内臓ボイラー補助エアタンク平面図である。
【図９】本考案のタービン駆動動力用システム図である。
【図１０】本考案のタービン構造図である。
【図１１】本考案のエア多極ノズル・電気ヒーター内臓ボイラー・かまど一体融合装置の正面図である。
【図１２】本考案のボイラー内蔵エア多極ノズル・電気ヒーター平面図である。
【図１３】本考案のタービン駆動発電機ミニプラントシステム図である。
【図１４】本考案の前項１３図の構造図である。
【図１５】本考案の発電機構造図である。
【図１６】本考案の前記自家発電ミニプラント電気動力組込・固定とプラント設置されない家に送電の電気動力組込機と固定機より電気注入と送電実施例を示す図である。
【図１７】本考案の前記発電ミニプラント連結した汎用実施例を示す図である。
【図１８】本考案の前記自家発電ミニプラント電気動力組込・固定とプラント設置されない工場に電気動力組込機より電気注入・送電の汎用実施例を示す図である。
【図１９】本考案のバイオマス堆肥製造機兼反応釜の平面図である。
【図２０】本考案のバイオマス堆肥製造機兼反応釜の正面図である。
【図２１】本考案のバイオマス堆肥製造機兼反応釜の側面図である。
【考案を実施するための形態】
【００１１】
前記高密度・高熱量ペレットを用いた自家製造ペレット用の耐震・衝撃装置・火消し蓋付き壺兼用熱源順応耐熱かまどには、複合的マルチタイプの小型・移設型システム内容の発展タイプが求められている、本発明の前記高密度・高熱量ペレットを用いた自家製造ペレット用の耐震・衝撃装置・火消し蓋付き壺兼用熱源順応耐熱かまどは、その内容が難しくない簡単・単純なもので、同時複合的連関を発生・発展できる発明実施の形態であって、高密度・高熱量ペレットの専用かまどとして環境に優しく、高温に耐えられて、持ち運び移設に小型・簡便・発展的で、図１・図２・図３・図４・図５・図６・図７・図８・図９・図１４・に示す通りで、しかも安全であることを可能とした工夫が前記高密度・高熱量ペレットを用いた自家製造ペレット用の耐震・衝撃装置・火消し蓋付き壺兼用熱源順応耐熱かまどである。
【００１２】
本考案に用いる燃料ペレットは高密度・高熱量に於いて、自動選別・制限される、したがって、ダイオキシンや重金属の除去されていないものや、余分なものが混在している、例えば、放射能をかぶったバイオマスの除染が出来ていないものは当然制限されるが、制限外・制限されない場合は、本機の増大化装置にて特に基よりペレット使用量も少ないことからもバイオマスの使用量を超えない範囲内にて、コークス、石炭、灯油、ガソリン、重油・ガスを用いることも熱量に言及すれば、好ましいのである、しかしながら、それらに対して前記（０００３）特許文献の高密度・高熱量ペレットは全てを満たして優れているから選外・制限されない内容にて使用燃料指定出来るのである。
【００１３】
以下、添付図面符号に従って一実施例を説明する、図３・図４は、本考案の前記高密度・熱量ペレット燃料を用いた自家製造ペレット用の耐震・衝撃装置・火消し蓋付き壺兼用熱源順応耐熱かまどの実施例を示す図２・図７・図１１の断面図である、図３・図４中、符号（１１）は、ストーブ用耐熱材かまど、符号（１４）は、ペレット置き空気孔付き受皿、周りの淵は、より堅牢・背高の五徳使用・汎用時の燃料増加も可、符号（１５）は、かまど空気調整開閉調整口、符号（２２）は、火消用落し蓋アジャスター継ぎ手、符号（２３）は、火消用落し蓋アジャスター踏み台、符号（２４）は、火消用落し蓋アジャスト重量（目皿・火消蓋・（１４）の燃料より重い）の継ぎ手鋳物・鉄棒、符号（２５）は、符号（２７）の継ぎ手と一体構造の鋳物製目皿、符号（２６）は、符号（２３）の踏み台の補助取手、符号（２７）は、火消蓋・目皿自在継ぎ手（一体構造の目皿と継ぎ手・火消蓋の支点のアジャスターの丁番（３３）にて、シーソー・上下降する）、符号（２８）は、目皿・火消蓋・（１４）の燃料置き空気孔付き受け皿アジャスター・フェンダー、符号（２９）は、火消蓋（符号（３２）の目皿の自在取付具によって用をなして、それまでは単なる自在蓋であるが、「蓋が自動的に上がる」ことで、符号（２８）のアジャスターの真下に位置して符号（３１）の火消壺内を密閉する。）、符号（３０）は、火消蓋・目皿・符号（２７）継手アジャスター開閉の上下運動支点、符号（３１）は、火消壺・かまど、符号（３２）は、目皿の火消蓋自在取付具兼符号（３９）の安全ストッパー自在解除具、符号（３３）は、鋳物製目皿（２５）と火消蓋・目皿自在継ぎ手(２７）との継ぎ手丁番である。
【００１４】
図３・図４において、鋳物製目皿（２５）は、一体構造の火消蓋・目皿自在継ぎ手(２７）と目皿と継ぎ手・火消蓋の支点のアジャスターの丁番（３３）において回動自在に取り付けられており、通常は、符号（２５）の鋳物製目皿、符号（２９）の火消用落し蓋と、符号（１４）の燃料（燃料増加の場合は、其れに合わせた重りを取り付ける。）の総重量より重い継ぎ手鋳・鉄棒（２４）の重力により、火消蓋・目皿自在継ぎ手（２７）に図中下方向に力が働くことで、鋳物製目皿（２５）は、「自動的に上がる」ことで、目皿・火消蓋アジャスター（２８）よりくり抜かれた形が正確にはまり込む（目皿の枠内定位置）ことで、（３２）の取付具によって符号（２９）の火消蓋が図３の符号（２８）のアジャスターの真下にくるように固定されている。
【００１５】
図３・図４に示す前記高密度・高熱量ペレット燃料を用いた自家製造ペレット用の耐震・衝撃装置・火消し蓋付き壺兼用熱源順応耐熱かまどは、ペレット燃料置き空気孔付き受皿（１４）内に入れ、符号（２９）の火消蓋を（３２）の自在取付具より放すか、（２５）の目皿の隙間から自動的に軽く叩き落として、符号（３２）の取付具を解放して、符号（３１）の火消壺・かまど内に落とし、（１５）のかまどの空気調整口を開けて、そこでペレットを（１７）のスチール着火安全カプセルにて燃焼させる装置である。
【００１６】
また、使用を中断したい場合等においては、以下のように、図３・図４に示す符号（３９）の安全ストッパーを外してから、又は、耐震・衝撃装置（３７）の金属ボールが、自在解除具（３２）を作動して、符号（３９）の符号（３２）よりのリードラインを通して、ストッパーが外れて、燃焼中のペレットを火消壺（３１）中に落とし、消火することができる、すなわち、火消用落し蓋アジャスター踏み台（２３）を足で踏むことによるか、耐震・衝撃装置（３７）により、符号（２５）の目皿、符号（２８）の火消用落し蓋、符号（１４）の中身の燃料の合計重量より（２４）の鉄棒の重量は、重いか、又は、尚更に合計重量に加えて、符号（３７）の金属ボールの移動落下荷重によって一時的に２倍まで重くなる耐震装置の金属ボール（３７）との合計により重くなった分、軽くなる継手鋳物棒（２４）が、図中、前記の何れかによって上方向に自動的に移動し、火消用落し蓋アジャスター継ぎ手（２２）及び火消蓋・目皿自在継ぎ手（２７）が、図３中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる、したがって、ペレット置き空気孔付き受け皿（１４）内の燃料ペレットが火消壺内に落下して、符号（１４）内燃料と符号（３７）の金属ボールの落下荷重が元に戻った重量合計の軽くなった分、重量を上回った継手鋳・鉄棒（２４）の重力にて、継手（２２）と下方向に移動して、継手（２７）と一体構造の（２５）は丁番（３３）において回転して、符号（２５）は符号（３２）によって火消蓋（２８）をとらえた状態にて、「自動的に上がり」、符号（１５）のかまど空気調整口は塞ぐことで、密封した状態となり、火消壺内は酸素不足の状態になっている為に、消火がおこなわれる、この状態を、図３でより詳細に説明する。
【００１７】
図３において、火消用落し蓋アジャスター踏み台（２３）から足を離すと、火消用落し蓋アジャスト重量（目皿より重い）継ぎ手鋳物棒（２４）が、図３中、重力により下方向に移動し、火消用落し蓋アジャスター継ぎ手（２２）及び火消蓋・目皿自在継ぎ手（２７）が、図３中、符号（２７）・符号（２５）の一体構造が符号（３３）の丁番を支点にシーソー下方向に移動することで、鋳物製目皿（２５）と符号（３２）の火消蓋の目皿自在取付具は、符号(２９)の火消し蓋を捉えた状態のまま、目皿・火消蓋アジャスター（２８）の枠内定位置・真下の上方向に移動して固定され、更に、より安全確保のために符号（３９）の安全ストッパーを掛けて、符号（１５）の空気開閉調整口を閉めると消火出来て、前記（１５）の調整口を開けて火消し蓋（２９）を符号（３１）内に落とせば、着火燃焼開始出来る。
【００１８】
また、火消壺（３１）内に落下し、消火された燃料ペレットは、再利用することができる、前記（０００３）の特許文献のペレットは、高密度・高熱量であるから、コークス同様に着火し難いので、コークス並みにポリプロピレンを原料としたものを花火同様に拡散・飛散するのを抑えた穴空き金属製ペレット型カプセルを途中で詰まったり、絡んだりしないようにスムーズに落下する為にも、安全の為に金属製カプセルに収納させた着火装置を使用しなければない。
【００１９】
本考案は、前記高密度・高熱量ペレットを用いた自家製造ペレット用の耐震・衝撃装置・火消し蓋付き壺兼用熱源順応耐熱かまどを熱源としても利用できる前記ストーブ放熱熱源組込機である、本考案のペレットストーブ放熱熱源組込機の正・側面図を図５、図６に示す、また、図５・図６中の符号（１）は、前記高密度・熱量ペレット燃料を用いた自家製造ペレット用の耐震・衝撃装置・火消し蓋付き壺兼用熱源順応耐熱かまど、符号（１４）は、ペレット置き空気孔付き受皿、符号（３４）は、ストーブ煙突、符号（３５）は薪ストーブ窓、符号（３６）は、ストーブ灰皿受けであるので、薪を燃やし入れたいときには、順応かまどをストーブから取り出して、符号（１２）のアジャストを設ければ、ペレットストーブが薪ストーブに早代わりともなる。
【００２０】
本考案は、図１・図２・図３・図４・図５・図６・図７・図９・図１１・図１３・図１４に示す前記高密度・高熱量ペレットを用いた自家製造ペレット用の耐震・衝撃装置・火消し蓋付き壺兼用熱源順応耐熱かまどを、符号（１４）の目皿にて燃焼容量１回分投与のエネルギー容量１とする、エネルギー熱源として同時に用いるボイラーと、前記ボイラーで発生したボイラー内蔵液体の潤滑オイルの高温・高圧蒸気と同内臓エア噴霧多極ノズルの高圧エア噴霧で駆動するタービンと、前記タービンで発生した高速回転力運動エネルギー１０，０００〜５０，０００ＲＰＭに比例する高出力電気エネルギー３００,０００Ｗ以上に変換する（発電機規定電圧は、１,０００Ｖで調整を符号（１０）の電力変換機を通して、外形の大きさや巻線量の重さ等を考慮して決定することが好ましく、高電気抵抗に対する高トルクのタービン駆動力にて発電される。）自家発電機（４）と、前記自家発電機で発生した電気によって、前記蒸気タービンの蒸気排気口（５０）と繋がった熱交換器（５）と、前記熱交換機に接続された放熱螺旋形パイプ内蔵の前記保温庫（４０）内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応耐熱かまどの前記ボイラー過熱とを加えた加熱量によって、保温庫内給湯量の使用の冷水入れ替え時にも対応して、熱湯・床冷暖・給湯装置に接続駆動された冷媒機等各複合機器と、これらによって、
一つは、自家発電機からそのまま高出力電気電源としての利用で以って、余剰電気は分配・売電出来て、
二つは、（１０）の電力変換装置より電気をバッテリー（９）に各別充電して、尚且つ電力変換装置を経て各別電源に変換して持続・自立的に利用できる自家発電機装置（４）で発生した電気によって、駆動・送風サポートする冷暖房床・空調機とを備える、固定・自動電気動力機器組込形式何れかのミニプラント自家発電器装置（４３）である。                                                                                                                      
【００２１】
本考案の自家発電機・冷暖房空調装置の模式外形構図を図１３・図１４に示す、図中、前記高密度・熱量ペレット燃料を用いた自家製造ペレット用の耐震・衝撃装置・火消し蓋付き壺兼用熱源順応耐熱かまど（１）で発生した熱により、ボイラー（２）に収容された液体である潤滑オイル（沸点調性剤使用も可）を高温・高圧オイル蒸気と高圧エア噴霧とにより前記タービン（３）の高速回転力１０，０００〜５０，０００ＲＰＭに比例して高出力３００,０００Ｗ以上自家発電を行い、得られた電気により、各別電源として用いる自家発電装置であり、無限な余力各別電気は、前記タービンの排出口（５０）に繋がる熱交換器（５）と前記熱交換器より排出の高温・高圧のオイルと符号（７）・（６８）の高圧エア噴霧・高圧・高温オイル蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図１３・図１４中、（１）は、ペレット燃料の耐震装置・火消し蓋付き壺兼用熱源順応耐熱かまど、（２）は、自家発電気ヒーター内蔵ボイラー、（３）は超小型軸流多段反動式高温・高圧オイル蒸気・高圧エア噴霧タービン、（４）は、自家発電機、（５）は、熱交換器、（６）は、電気モーター（電力は自己完結方式）、（２１）は圧縮循環ポンプ、（７）は、エアコンプレッサー、（６８）は、エア圧力噴霧多極ノズル、（８）は、発電余力電力の充電用安全機、（９）は、充電器、（１０）は、電力変換装置である。
【００２２】
前記各種の装置は、前記高密度・高熱量ペレットを用いた自家製造ペレット用の耐震・衝撃装置・火消し蓋付き壺兼用熱源順応耐熱かまどにて、同時使用にて、前記ボイラー（２）の沸点状態に於いて、前記（１４）の目皿に投入分のペレットの燃焼１回分を１エネルギー容量とする燃料エネルギーを無限に変換増大化させて使用出来ることから、持続的に最大効果・効率のエネルギー変換増大・拡大化を生み出すことができるグリーンな出し入れ自在な前記高密度・高熱量ペレットを用いた自家製造ペレット用の耐震・衝撃装置・火消し蓋付き壺兼用熱源順応耐熱かまどエネルギー容量１に対して各タービン・発電機４機まで連結・増大・拡大化ミニプラント装置とするに、重なることで無用となる符号（５）の熱交換器・符号（２０）の冷媒器・符号（４６）の冷房機冷水補助タンク（８４）は取り外し、符号（８）の安全器・符号（９）の充電器・符号（１０）の電力変換装置は、更に連結拡大容量に合わせることで、エネルギー増大・連結・拡大・汎用化は好ましく、エネルギー連結・増大・拡大１セット基本ミニプラント装置（４３）である。
【符号の説明】
【００２３】
１、高密度・高熱量ペレット燃料を用いた自家製造ペレット用の耐震・衝撃装置・火消し蓋付き壺兼用熱源順応耐熱かまど（現在はステンレス鋼が優れていると思考される。）
２、ボイラー（内蔵液体潤滑オイル使用、温度センサー付き自己完結型高出力電気ヒーター・切替機装置内蔵、ヒーターはタービン駆動動力のみには装備されない、エアコンプレッサー噴霧掃出しノズル）・（１）かまどは一体。
３、超小型軸流多段反動式高温・高圧オイル蒸気・高圧エア噴霧タービン
４、自家発電機、（前項２のヒーターが、内臓されない場合は、主にエアコンプレッサー駆動用のみの低出力発電機である。）。
５、熱交換器
６、電気モーター（電力は自己完結方式）
７、エアコンプレッサー（aircompressor）空気圧縮
８、発電気の電力変換機装置と充電機の安全機
９、充電器                                  
10、正弦波長・電力変換装置
11、耐熱材（ステンレス鋼が今現在は最も優れていると思考される。）かまど
12、アジャスト薪空気孔付き受け皿（薪やその他燃料を用いる場合のストーブ用部材。）
13、前記１の自動的に上がることで作動する火消開閉蓋（取換用部品。）
14、ペレット置き空気孔付き受皿（（２８）と一体構造の鋳物）・五徳
15、かまど空気開閉調整口（引き違い戸か何れか方式の自動開閉式。）
16、アジャスト空気孔筒伸縮調整蛇腹（内気導入を止めて、外気導入時の備品）
17、スチール着火穴あきカプセル（ポリプロピレン入り金属製の拡散・飛散防止安全発火口付きペレット型カプセル着火装置。）
18、ストーブ（（１）の放熱熱源組込み機装置。）
19、モーター・除湿調性用ヒーター付き送風ファン
20、冷媒機（熱交換器に繋がった保温庫に繋がる）
21、モーター付き圧縮循環ポンプ（冷暖切換機付き）
22、火消用落し蓋アジャスター継ぎ手
23、火消用落し蓋アジャスター踏み台
24、火消用落し蓋アジャスト重量（目皿＋火消蓋＋（１４）の燃料合計より重い。）継ぎ手鋳・鉄棒
25、（２７）継ぎ手と一体構造の鋳物製目皿（（２８）のアジャスターを目皿の型に刳り抜いた形体）
26、踏み台の補助取っ手(ミニプラントでは、自動式で、かまど・ボイラーと一体的。)
27、火消蓋・目皿自在継ぎ手（（２８）アジャスターの丁番（３３）を支点に上下降する）
28、目皿・火消蓋アジャスター・フェンダー（（１４）・（２７）と同質の鋳物で（１４）と一体構造）
29、火消蓋（（３２）取付具によって（２５）の目皿と一体化出来、それまでは落蓋で、自動的に蓋が上がることで密閉され火消しとなる。）
30、火消蓋アジャスター継ぎ手支点
31、火消壺・かまど（耐熱材は現在、ステンレス鋼が最も優れていると思考される。。）
32、目皿の火消蓋自在取付具兼（３９）の作動自在解除具併せ持つ、（３９）のストッパーを外す。
33、目皿と継ぎ手・火消蓋の支点のアジャスターの丁番
34、ストーブ煙突
35、薪ストーブ窓
36、ストーブ灰皿受け
37、耐震装置金属ボールの（３２）自在解除具に金属ボールが転がり衝突作動      
38、外壁ステンレス板（耐熱材外壁一体構造で、現在ステンレス鋼が最も優れていると思考される。）
39、安全ストッパー（（２９）の火消蓋が動かぬ様に固定化、（３７）の（３２）によって外れる。）
40、保温庫（熱交換器に接続の二重構造放熱配管の螺旋形パイプと電気加熱温度センサー付きヒーター螺旋形パイプの保温庫内内蔵と保温庫の給湯・床暖・熱湯保温する（床暖引込口・パイプ等埋設設備複数予備パイプライン・ジョイントあり、冷媒機に接続される）、タービンを単に駆動動力とする場合は、保温機能のみとなっている。）
41、ヒーター（湿度調整）（１９）のヒーター付き送風ファンに同じ
42、（１１）の鋳物製フェンダー（（２８）のフェンダーと同じ働き）
43,ミニプラント自家発電機装置（固定・電気動力機器組込何れかの方式で、電気動力の場合は、連結することで、汎用化される。）
44,ペレット燃料自動投下装置
45,潤滑オイルとオイルフィルター交換口装置（潤滑オイル交換が定期的に必要）
46,冷房機冷水補助タンク
47,ボイラー（２）、かまど収納容器兼自動排気設備
48、軸受けベアリング（３の軸受け外側蓋直付け固定）
49、ボイラー（２）からの高温・圧蒸気のタービンノズルへの取り入れ口
50、蒸気タービン（３）の液体潤滑オイル蒸気排出口
51、蒸気タービン（３）の静翼
52、蒸気タービン（３）の動翼ブレード
53、蒸気タービン（３）の軸シャフト
54、バイオマス堆肥製造・反応釜装置外壁(断熱材)
55、耐熱材（現在はステンレス鋼が優れている。）穴空き器内容器２台分
56、前項５５の内容器の撹拌回転軸・回転翼
57、前項５５の内容器取出し取っ手
58、耐熱材（現在はステンレス鋼が優れている。）外容器兼反応釜１台分
59、前項５６の内容器の回転軸受け両サイド補強筋違
60、前項５８の水抜き栓で５４の外部に取出し口あり
61、前項５６の回転受け両サイドの固定
62、前項５６のハンドル取っ手脱着自在
63、前項５５の穴あき内容器底部開閉スライド式乾燥堆肥取出し口
64、前項５８の耐熱材蓋・前項５４の外壁断熱材蓋
65、エアタンク（エアコンプレッサーの補助タンク）
66、エアコンプレッサーの温度・圧力センサー付き分岐・分配装置
67、オイル循環配管
68、エア圧力噴霧多極ノズル
69、ボイラー（内蔵沸騰用液体は潤滑オイル、温度センサー付き、自動温度調整付き自己完結型電気ヒーター・切換機装置内蔵、エアコンプレッサー噴霧掃出しノズル）（４１）かまどと一体
70、ボイラー（４２）、かまど（４１）収納一体容器自動強制排気菅設備
71、電気ヒーター
72、ボイラー内蒸気・エア噴霧圧力噴出管ノズル
73、ボイラー（２）、かまど（１）収納一体容器自動強制排気菅設備開閉蓋
74、ボイラーかまど空気取入口
75、発電機コア同一円筒３２極のネオジム磁石１６極 
76、発電機コア同一円筒３２極のネオジム磁石１６極
77、発電機軸
78、発電機コア
79、発電機同一円筒３２極中の巻線１６極         
80、発電機同一円筒３２極中の巻線１６極
81、発電機同一円筒３２極中の１６極巻線
82、エアコンプレッサー駆動等補助バッテリー
83、木材粉砕機・チップ・大鋸屑化製造機
84、夏場用冷水庫
【図１】
0003191262.tif 000003
【図２】
0003191262.tif 000004
【図３】
0003191262.tif 000005
【図４】
0003191262.tif 000006
【図５】
0003191262.tif 000007
【図６】
0003191262.tif 000008
【図７】
0003191262.tif 000009
【図８】
0003191262.tif 000010
【図９】
0003191262.tif 000011
【図１０】
0003191262.tif 000012
【図１１】
0003191262.tif 000013
【図１２】
0003191262.tif 000014
【図１３】
0003191262.tif 000015
【図１４】
0003191262.tif 000016
【図１５】
0003191262.tif 000017
【図１６】
0003191262.tif 000018
【図１７】
0003191262.tif 000019
【図１８】
0003191262.tif 000020
【図１９】
0003191262.tif 000021
【図２０】
0003191262.tif 000022
【図２１】
0003191262.tif 000023
【手続補正書】
【提出日】平成26年2月14日(2014.2.14)
【手続補正１】
【補正対象書類名】実用新案登録請求の範囲
【補正対象項目名】全文
【補正方法】変更
【補正の内容】
【実用新案登録請求の範囲】
【請求項１】
少なくとも上部に開口部を有する耐熱性容器と、前記耐熱性容器の上部の開口部を開閉できるように設けられた耐震・衝撃装置・火消蓋付き耐熱壺と、熱源耐熱かまどとが一体化し、自家製造ペレット着火装置と自家製造耐熱簡易反応釜兼バイオマス堆肥製造機とを備え、バイオマス原料を圧縮してペレットとした高密度・高熱量ペレットを用いてストーブ放熱熱源組込機として使用する自家製造ペレット用の耐震・衝撃装置・火消し蓋付き壺兼用熱源順応耐熱かまど。
【請求項２】
前記耐熱性容器が、耐熱性金属製容器である、請求項１に記載の高密度・熱量ペレットを用いた自家製造ペレット用の耐震・衝撃装置・火消し蓋付き壺兼用熱源順応かまど。
【請求項３】
踏み台と、前記踏み台と前記耐震・衝撃装置・火消し蓋付き壺とを連結する火消蓋開閉機構とを備える高密度・高熱量ペレット用の耐震・衝撃装置・火消し蓋付き壺兼用熱源順応耐熱かまどであって、耐震・衝撃装置の作動または踏み台あるいは自動開閉補助取手を操作することで、火消し蓋開閉機構を通じて、火消し蓋の開閉状態を制御するものである、請求項１または２記載の自家製造ペレット用の耐震・衝撃装置・火消し蓋付き壺兼用熱源順応耐熱かまど。
【請求項４】
前記着火装置が、ポリプロピレンを原料としたものを飛散・拡散防止・投下が途中留まらずにスムーズに落下できるように安全最小限穴空き金属製ペレット状カプセルに収納されたものを用いる請求項１〜３のいずれかに記載の自家製造ペレット用の耐震・衝撃装置・火消し蓋付き壺兼用熱源順応耐熱かまど。
【請求項５】
請求項１〜４のいずれかに記載の自家製造ペレット用の耐震・衝撃装置・火消し蓋付き壺兼用熱源順応耐熱かまどを熱源として用い、潤滑オイルをボイラー内でこの熱源により高温・高圧オイル蒸気とし、前記高温・高圧オイル蒸気と高圧エア噴霧とで軸流多段反動式蒸気タービンを回転駆動させるタービン動力・駆動装置。
【請求項６】
請求項１〜４のいずれかに記載の自家製造ペレット用の耐震・衝撃装置・火消し蓋付き壺兼用熱源順応耐熱かまどを熱源として用い、潤滑オイルをボイラー内でこの熱源により高温・高圧オイル蒸気とし、前記ボイラーで発生した前記高温・高圧オイル蒸気と高圧エア噴霧とを軸流多段反動式蒸気タービンの回転力の駆動力とし、高出力電気エネルギーの自家発電機として使用する自家発電機装置。
【請求項７】
請求項１〜４のいずれかに記載の自家製造ペレット用の耐震・衝撃装置・火消し蓋付き壺兼用熱源順応耐熱かまどを熱源として用い、潤滑オイルを高温・高圧オイル蒸気とするボイラーと、前記ボイラーで発生した高温・高圧オイル蒸気と高圧エアとで軸流多段反動式蒸気タービンを駆動させて発電を行う自家発電機と、前記蒸気タービンの蒸気排出口に接続された熱交換器と、前記熱交換器排出口に繋がる放熱螺旋状配管パイプが、中心パイプを太い外径のパイプで二重に密閉されて被せられた構造で内蔵され、その内部液体は中心パイプ内蔵の液体と類似のものであるパイプ状容器の二重構造体の放熱螺旋状配管パイプをもつ熱湯保温庫と、前記中心パイプ内を保温状態として持続的熱湯保温・冷暖房機に繋がる冷媒機と、前記自家発電機で発生した電気によって駆動する空調冷暖房機とを備える、空調冷暖房機装置。
【請求項８】
請求項１〜４のいずれかに記載の自家製造ペレット用の耐震・衝撃装置・火消し蓋付き壺兼用熱源順応耐熱かまどと、請求項５に記載のタービン動力・駆動装置と、請求項６に記載の自家発電機装置と、請求項８に記載の空調冷暖房機装置とを備え、前記自家製造ペレット用の耐震・衝撃装置・火消し蓋付き壺兼用熱源順応耐熱かまどを熱源とし、前記タービン動力・駆動装置と、前記自家発電機装置と、前記空調冷暖房装置とが連結された発電基本ミニプラント装置。
【手続補正書】
【提出日】平成26年4月9日(2014.4.9)
【手続補正１】
【補正対象書類名】実用新案登録請求の範囲
【補正対象項目名】全文
【補正方法】変更
【補正の内容】
【実用新案登録請求の範囲】
【請求項１】
少なくとも上部に開口部を有する耐熱性容器と、前記耐熱性容器の上部の開口部を開閉できるように設けられた耐震・衝撃装置・火消蓋付き耐熱壺と、熱源耐熱かまどとが一体化し、自家製造ペレット着火装置と自家製造耐熱簡易反応釜兼バイオマス堆肥製造機とを備え、バイオマス原料を圧縮してペレットとした高密度・高熱量ペレットを用いてストーブ放熱熱源組込機として使用する自家製造ペレット用の耐震・衝撃装置・火消し蓋付き壺兼用熱源順応耐熱かまど。
【請求項２】
前記耐熱性容器が、耐熱性金属製容器である、請求項１に記載の高密度・熱量ペレットを用いた自家製造ペレット用の耐震・衝撃装置・火消し蓋付き壺兼用熱源順応耐熱かまど。
【請求項３】
踏み台と、前記踏み台と前記耐震・衝撃装置・火消蓋付＋壺とを連結する火消蓋開閉機構とを備える高密度・高熱量ペレット用の耐震・衝撃装置・火消し蓋付き壺兼用熱源順応耐熱かまどであって、耐震・衝撃装置の作動または踏み台あるいは自動開閉補助取手を操作することで、火消し蓋開閉機構を通じて、火消し蓋の開閉状態を制御するものである、請求項１または２記載の自家製造ペレット用の耐震・衝撃装置・火消し蓋付き壺兼用熱源順応耐熱かまど。
【請求項４】
前記着火装置が、ポリプロピレンを原料としたものを飛散・拡散防止・投下が途中留まらずにスムーズに落下できるように安全最小限穴空き金属製ペレット状カプセルに収納されたものを用いる請求項１〜３のいずれかに記載の自家製造ペレット用の耐震・衝撃装置・火消し蓋付き壺兼用熱源順応耐熱かまど。
【請求項５】
請求項１〜４のいずれかに記載の自家製造ペレット用の耐震・衝撃装置・火消し蓋付き壺兼用熱源順応耐熱かまどを熱源として用い、潤滑オイルをボイラー内でこの熱源により高温・高圧オイル蒸気とし、前記高温・高圧オイル蒸気と高圧エア噴霧とで軸流多段反動式蒸気タービンを回転駆動させるタービン動力・駆動装置。
【請求項６】
請求項１〜４のいずれかに記載の自家製造ペレット用の耐震・衝撃装置・火消し蓋付き壺兼用熱源順応耐熱かまどを熱源として用い、潤滑オイルをボイラー内でこの熱源により高温・高圧オイル蒸気とし、前記ボイラーで発生した前記高温・高圧オイル蒸気と高圧エア噴霧とを軸流多段反動式蒸気タービンの回転力の駆動力とし、高出力電気エネルギーの自家発電機として使用する自家発電機装置。
【請求項７】
請求項１〜４のいずれかに記載の自家製造ペレット用の耐震・衝撃装置・火消し蓋付き壺兼用熱源順応耐熱かまどを熱源として用い、潤滑オイルを高温・高圧オイル蒸気とするボイラーと、前記ボイラーで発生した高温・高圧オイル蒸気と高圧エアとで軸流多段反動式蒸気タービンを駆動させて発電を行う自家発電機と、前記蒸気タービンの蒸気排出口に接続された熱交換器と、前記熱交換器排出口に繋がる放熱螺旋状配管パイプが、中心パイプを太い外径のパイプで二重に密閉されて被せられた構造で内蔵され、その内部液体は中心パイプ内蔵の液体と類似のものであるパイプ状容器の二重構造体の放熱螺旋状配管パイプをもつ熱湯保温庫と、前記中心パイプ内を保温状態として持続的熱湯保温・冷暖房機に繋がる冷媒機と、前記自家発電機で発生した電気によって駆動する空調冷暖房機とを備える、空調冷暖房機装置。
【請求項８】
請求項１〜４のいずれかに記載の自家製造ペレット用の耐震・衝撃装置・火消し蓋付き壺兼用熱源順応耐熱かまどと、請求項５に記載のタービン動力・駆動装置と、請求項６に記載の自家発電機装置と、請求項７に記載の空調冷暖房機装置とを備え、前記自家製造ペレット用の耐震・衝撃装置・火消し蓋付き壺兼用熱源順応耐熱かまどを熱源とし、前記タービン動力・駆動装置と、前記自家発電機装置と、前記空調冷暖房装置とが連結された発電基本ミニプラント装置。